(57)【要約】【課題】  本考案は、簡易な構成で、発声者から発せられた音声を確実に消音することができる発声消音器を提供することを目的とする。【解決手段】  円柱状のフィルタ２０と、フィルタ２０の外径と同一の内径を有し、かつ長手方向における内側面の長さがフィルタ２０と同一の長さを有する収納部本体３０Ａと、収納部本体３０Ａから突出するように形成され、収納部本体３０Ａより短い内径を有する突出部３０Ｂと、突出部３０Ｂの先端部分に、外側に向けて張り出すように形成され、突出部３０Ｂのうち先端部分を除く部分より厚さが厚い張出部３０Ｃとを有するフィルタ収納部３０と、フィルタ収納部３０のうち、収納部本体３０Ａの表面に、収納部本体３０Ａを覆うようにして形成された本体制振部６０とを備える。【選択図】  図１
0003196345.tif 000002
【実用新案登録請求の範囲】
【請求項１】
円柱状のフィルタと、
前記フィルタの外径と同一の内径を有し、かつ長手方向における内側面の長さが前記フィルタと同一の長さを有する収納部本体と、前記収納部本体から突出するように形成され、前記収納部本体より短い内径を有する突出部と、前記突出部の先端部分に、外側に向けて張り出すように形成され、前記突出部のうち前記先端部分を除く部分より厚さが厚い張出部とを有するフィルタ収納部と、
前記フィルタ収納部のうち、前記収納部本体の表面に、前記収納部本体を覆うようにして形成された本体制振部と、
前記本体制振部の表面に、前記本体制振部の全面を覆うようにして形成された本体保持部と、
前記フィルタ収納部のうち、前記突出部の内側面に、長手方向における長さが前記突出部の内側面の長さと同一の長さを有するように形成された円筒状の継手制振部と、
前記継手制振部の内側面に、長手方向における前記継手制振部の長さと同一の長さを有するように形成された円筒状の継手固定部と
を備えることを特徴とする発声消音器。
【考案の詳細な説明】
【技術分野】
【０００１】
本考案は、発声消音器に関する。
【背景技術】
【０００２】
従来、発声者から発せられた音声を消音するための発声消音器として、種々のものが提案及び開発されている。
【考案の概要】
【考案が解決しようとする課題】
【０００３】
本考案は、簡易な構成で、発声者から発せられた音声を確実に消音することができる発声消音器を提供することを目的とする。
【課題を解決するための手段】
【０００４】
本考案の一態様による発声消音器は、
円柱状のフィルタと、
前記フィルタの外径と同一の内径を有し、かつ長手方向における内側面の長さが前記フィルタと同一の長さを有する収納部本体と、前記収納部本体から突出するように形成され、前記収納部本体より短い内径を有する突出部と、前記突出部の先端部分に、外側に向けて張り出すように形成され、前記突出部のうち前記先端部分を除く部分より厚さが厚い張出部とを有するフィルタ収納部と、
前記フィルタ収納部のうち、前記収納部本体の表面に、前記収納部本体を覆うようにして形成された本体制振部と、
前記本体制振部の表面に、前記本体制振部の全面を覆うようにして形成された本体保持部と、
前記フィルタ収納部のうち、前記突出部の内側面に、長手方向における長さが前記突出部の内側面の長さと同一の長さを有するように形成された円筒状の継手制振部と、
前記継手制振部の内側面に、長手方向における前記継手制振部の長さと同一の長さを有するように形成された円筒状の継手固定部と
を備える。
【考案の効果】
【０００５】
本考案の発声消音器によれば、簡易な構成で、発声者から発せられた音声を確実に消音することができる。
【図面の簡単な説明】
【０００６】
【図１】本考案の実施の形態による発声消音器の構成を示す斜視図及び縦断面図である。
【図２】本考案の実施の形態による発声消音器の使用状態を示す斜視図である。
【考案を実施するための形態】
【０００７】
図１に、本考案の実施の形態による発声消音器１０の構成を示し、図２に、当該発声消音器１０を使用する場合の使用状態図を示す。
【０００８】
このうち、図１（ａ）は、発声消音器１０の斜視図を示し、図１（ｂ）は、図１（ａ）中のＡ−Ａ’線に沿って切断した場合の縦断面図を示す。
【０００９】
発声消音器１０は、円柱状に形成された消音器本体１０Ａと、当該消音器本体１０Ａから突出するように形成され、風船１００を取り付けるための継手１０Ｂとから構成される。
【００１０】
具体的には、発声消音器１０は、その内部に、円柱状に形成されたフィルタ２０を有する。このフィルタ２０は、例えばスポンジなどの多孔性材料からなり、発声者から発せられた音声を消音する。
【００１１】
また、発声消音器１０は、フィルタ２０を収納し固定するためのフィルタ収納部３０を有する。このフィルタ収納部３０は、断面が凸型形状になるように形成され、フィルタ２０の外径と同一の内径を有し、かつ長手方向における内側面の長さがフィルタ２０と同一の長さを有する収納部本体３０Ａと、収納部本体３０Ａから突出するように形成され、収納部本体３０Ａより短い内径を有する突出部３０Ｂとを有する。フィルタ２０は、フィルタ収納部３０のうち、収納部本体３０Ａに収納される。
【００１２】
さらに、突出部３０Ｂの先端部分には、当該突出部３０Ｂのうち先端部分を除く部分より厚さが厚い張出部３０Ｃが、外側に向けて張り出すように形成され、風船１００を取り付けた際に当該風船１００を固定する。
【００１３】
ところで、フィルタ収納部３０は、発声消音器１０を使用する場合に、発声者側に位置する発声者側開口部４０と、風船側に位置する風船側開口部５０とを有する。これにより、フィルタ２０のうち、発声者側端部のほぼ全面が露出すると共に、風船側端部の少なくとも中央部分が露出するようになされている。
【００１４】
なお、フィルタ収納部３０は、例えばプラスチックなどの合成樹脂材料、金属材料、ガラス材料、木材などの硬質素材から形成されている。
【００１５】
フィルタ収納部３０のうち、収納部本体３０Ａの表面には、当該収納部本体３０Ａを覆うようにして、本体制振部６０が形成されている。この本体制振部６０は、例えば、ウレタンなどからなり、フィルタ２０及びフィルタ収納部３０の振動を抑制する。
【００１６】
さらに、本体制振部６０の表面には、当該本体制振部６０の全面を覆うようにして、本体保持部７０が形成されている。この本体保持部７０は、例えばゴムなど弾性部材からなり、発声者が発声消音器１０に触れ易い素材が選択されている。
【００１７】
一方、フィルタ収納部３０のうち、突出部３０Ｂの内側面には、円筒状の継手制振部８０が形成され、この継手制振部８０は、長手方向における長さが突出部３０Ｂの内側面の長さと同一の長さを有するように形成されている。なお、継手制振部８０は、例えば、ウレタンなどからなり、フィルタ２０及びフィルタ収納部３０の振動を抑制する
【００１８】
さらに、継手制振部８０の内側面には、円筒状の継手固定部９０が形成され、この継手固定部９０は、長手方向における継手制振部８０の長さと同一の長さを有するように形成されている。なお、継手固定部９０は、例えばプラスチックなどの合成樹脂材料、金属材料、ガラス材料、木材などの硬質素材から形成されている。
【００１９】
発声者がこの発声消音器１０を使用する際には、風船１００を継手１０Ｂの張出部３０Ｃに取り付けた後、発声者の口を消音器本体１０Ａの発声者側開口部４０に押し当てた状態で、発声者が発声を行う。
【００２０】
このように本実施の形態によれば、簡易な構成で、発声者から発せられた音声を確実に消音することができる。
【００２１】
なお、上述の実施の形態は一例であって、本発明を限定するものではない。
【符号の説明】
【００２２】
１０  発声消音器
１０Ａ  消音器本体
１０Ｂ  継手
２０  フィルタ
３０  フィルタ収納部
３０Ａ  収納部本体
３０Ｂ  突出部
３０Ｃ  張出部
４０  発声者側開口部
５０  風船側開口部
６０  本体制振部
７０  本体保持部
８０  継手制振部
９０  継手固定部
【図１】
0003196345.tif 000003
【図２】
0003196345.tif 000004